(57)【要約】【課題】きしみ音あるいはびびり音等の発生を低減させた液晶表示装置の提供。【解決手段】液晶表示パネルと、この液晶表示パネルの背面に配置されるバックライトとを備え、  前記バックライトは、前記液晶表示パネルと対向する平面内に並設される複数の棒状光源と、これら各棒状光源をその電極部において電極金具を介して支持する基台とから構成され、  前記電極金具は、各棒状光源の対応する電極部を支持するもの同士で、前記棒状光源の並設方向に延在する接続部に接続されて構成され、  前記接続部は少なくとも接着剤を介して前記基台側に固定されている。【選択図】図１
2008241777.tif 000002
【特許請求の範囲】
【請求項１】
液晶表示パネルと、この液晶表示パネルの背面に配置されるバックライトとを備え、
前記バックライトは、前記液晶表示パネルと対向する平面内に並設される複数の棒状光源と、これら各棒状光源をその電極部において電極金具を介して支持する基台とから構成され、
前記電極金具は、各棒状光源の対応する電極部を支持するもの同士で、前記棒状光源の並設方向に延在する接続部に接続されて構成され、
前記接続部は少なくとも接着剤を介して前記基台側に固定されていることを特徴とする液晶表示装置。
【請求項２】
前記接着剤は前記接続部の長手方向に沿って延在される両面テープからなることを特徴とする請求項１に記載の液晶表示装置。
【請求項３】
前記接続部はその一端側において螺子を介して前記基台側に固定されていることを特徴とする請求項１に記載の液晶表示装置。
【請求項４】
前記接続部はその両端のそれぞれにおいて螺子を介して前記基台側に固定されていることを特徴とする請求項１に記載の液晶表示装置。
【請求項５】
前記接続部は前記電極金具をその両端側にてそれぞれ接続する一対の各接続部から構成され、前記基台側との固定を図る前記接着剤は前記各接続部のそれぞれに介在して設けられていることを特徴とする請求項１に記載の液晶表示装置。
【請求項６】
前記接続部は前記電極金具をその両端側にてそれぞれ接続する一対の各接続部から構成され、前記基台側との固定を図る前記接着剤は前記各接続部のうちの一方の接続部に介在して設けられていることを特徴とする請求項１に記載の液晶表示装置。
【請求項７】
前記各接続部のうち一方の接続部の一端側において螺子を介して前記基台側に固定されていることを特徴とする請求項５、６のいずれかに記載の液晶表示装置。
【請求項８】
前記各接続部のうち一方の接続部の両端側にてそれぞれ螺子を介して前記基台側に固定されていることを特徴とする請求項５、６のいずれかに記載の液晶表示装置。
【発明の詳細な説明】
【技術分野】
【０００１】
本発明は液晶表示装置に係り、いわゆる直下型のバックライトを備える液晶表示装置に関する。
【背景技術】
【０００２】
液晶表示装置は、その液晶表示パネルの大型化の傾向にともない、バックライトとして面状光源の均一化が図れる直下型のものが使用されてきている。
【０００３】
このようなバックライトは、光反射機能を有する基台の前記前記液晶表示パネルに対向する面内に、複数の蛍光管がその長手方向と直交する方向に並設され、これら各蛍光管はその両端の電極の部分において挟持される電極金具を介して前記基台に支持されて構成されている。
【０００４】
そして、これら各蛍光管の一端側のたとえばプラス側の電極に挟持される電極金具はそれぞれ共通に接続された形態で構成され、また、他端側のマイナス側の電極に挟持される電極金具もそれぞれ共通に接続された形態で構成されるようになっている。
【０００５】
このため、互いに共通接続される各電極金具は、前記蛍光管の並設方向に比較的長く延在する帯状の導電材からなる電極支持材に備えられて構成されたものとなっている。
【０００６】
このようなバックライトを備える液晶表示装置はたとえば下記特許文献１に開示がなされている。
【特許文献１】特開２００５−３４７２５９号公報
【発明の開示】
【発明が解決しようとする課題】
【０００７】
しかし、このように構成された液晶表示装置において、前記電極支持材を基台側に固定させる場合に、その固定自体の信頼性を向上させなければならないのはもちろんのこと、該電極支持材が起因して発生するきしみ音あるいはびびり音の低減を図った固定構造が要望される。
【０００８】
すなわち、前記電極支持材は、上述したように比較的長い帯状の導電材からなるため、蛍光管からの熱による膨張度合いが大きくなり、仮に、該電極支持材をその長手方向に沿った数点（たとえば３個所以上）で基台側に固定した場合、それらの固定部の間の電極支持材に基台側から遊離する撓みが発生してしまうことになる。
【０００９】
このため、前記電極支持材の基台側に対する固定数を低減させ、これにより該固定がなされなくなった前記電極支持材の部分において、たとえば前記基台と別個に形成される他の部材によって接触（あるいは押圧）させる構成とする試みがなされている。しかし、電極支持材に熱膨張による伸張がなされた場合に、前記他の部材との間にきしみ音が発生してしまうという不都合が生じる。
【００１０】
そこで、前記他の部材を電極支持材から若干離間させて配置させ、該電極支持材が基台側から遊離しすぎないようにする試みもなされているが、該電極支持材が外部からの原因等によって振動した場合に、前記他の部材と接触し、うなり音が発生してしまうという不都合が生じる。
【００１１】
本発明の目的は、きしみ音あるいはびびり音等の発生を低減させた液晶表示装置を提供することにある。
【課題を解決するための手段】
【００１２】
本願において開示される発明のうち、代表的なものの概要を簡単に説明すれば、以下のとおりである。
【００１３】
（１）本発明による液晶表示装置は、たとえば、液晶表示パネルと、この液晶表示パネルの背面に配置されるバックライトとを備え、
前記バックライトは、前記液晶表示パネルと対向する平面内に並設される複数の棒状光源と、これら各棒状光源をその電極部において電極金具を介して支持する基台とから構成され、
前記電極金具は、各棒状光源の対応する電極部を支持するもの同士で、前記棒状光源の並設方向に延在する接続部に接続されて構成され、
前記接続部は少なくとも接着剤を介して前記基台側に固定されていることを特徴とする。
【００１４】
（２）本発明による液晶表示装置は、たとえば、（１）の構成を前提とし、前記接着剤は前記接続部の長手方向に沿って延在される両面テープからなることを特徴とする。
【００１５】
（３）本発明による液晶表示装置は、たとえば、（１）の構成を前提とし、前記接続部はその一端側において螺子を介して前記基台側に固定されていることを特徴とする。
【００１６】
（４）本発明による液晶表示装置は、たとえば、（１）の構成を前提とし、前記接続部はその両端のそれぞれにおいて螺子を介して前記基台側に固定されていることを特徴とする。
【００１７】
（５）本発明による液晶表示装置は、たとえば、（１）の構成を前提とし、前記接続部は前記電極金具をその両端側にてそれぞれ接続する一対の各接続部から構成され、前記基台側との固定を図る前記接着剤は前記各接続部のそれぞれに介在して設けられていることを特徴とする。
【００１８】
（６）本発明による液晶表示装置は、たとえば、（１）の構成を前提とし、前記接続部は前記電極金具をその両端側にてそれぞれ接続する一対の各接続部から構成され、前記基台側との固定を図る前記接着剤は前記各接続部のうちの一方の接続部に介在して設けられていることを特徴とする。
【００１９】
（７）本発明による液晶表示装置は、たとえば、（５）、（６）のいずれかの構成を前提とし、前記各接続部のうち一方の接続部の一端側において螺子を介して前記基台側に固定されていることを特徴とする。
【００２０】
（８）本発明による液晶表示装置は、たとえば、（５）、（６）のいずれかの構成を前提とし、前記各接続部のうち一方の接続部の両端側にてそれぞれ螺子を介して前記基台側に固定されていることを特徴とする。
【００２１】
なお、本発明は以上の構成に限定されず、本発明の技術思想を逸脱しない範囲で種々の変更が可能である。
【発明の効果】
【００２２】
このように構成した液晶表示装置はきしみ音あるいはびびり音、またはうなり等の発生を低減させることができるようになる。
【発明を実施するための最良の形態】
【００２３】
以下、本発明による液晶表示装置の実施例を図面を用いて説明をする。
【００２４】
図２は、本発明による液晶表示装置の一実施例を示す概略構成図である。
【００２５】
まず、観察者側から、液晶表示パネルＰＮＬ、光学シートＯＳ、およびバックライトＢＬが順次配置されている。
【００２６】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２の間に液晶が介在されて構成されている。
【００２７】
前記基板ＳＵＢ１、ＳＵＢ２の液晶側の面には、マトリックス状に配置された画素（図示せず）が前記液晶を一構成要素として形成され、これら各画素毎に当該液晶の光透過率を制御できるようになっている。
【００２８】
そして、これら各画素が形成された領域を液晶表示領域ＡＲ（図中一点鎖線枠で囲まれた領域）とし、後述のバックライトＢＬからの光を該液晶表示領域ＡＲの全域にわたって照射し、各画素を透過する光を通して観察者に映像を認識させるようになっている。
【００２９】
なお、観察者側に対して後方に配置された基板ＳＵＢ１は基板ＳＵＢ２よりも面積が大きく形成され、前記基板ＳＵＢ２から露出された周辺には、各画素を独立に駆動させるための回路からなる半導体装置ＳＣＤが搭載されている。
【００３０】
そして、液晶表示パネルＰＮＬの背面には、たとえば拡散シート、プリズムシート、あるいはこれらの積層体からなる光学シートＯＳを介してバックライトＢＬが配置されている。光学シートＯＳは、バックライトＢＬからの光を拡散させ、あるいは集光させたりして液晶表示パネルＰＮＬ側へ導くようになっている。
【００３１】
バックライトＢＬは、いわゆる直下型と称されるもので、液晶表示パネルＰＮＬと平行な平面内に、図中ｘ方向に長手方向を一致させ図中ｙ方向に並設される複数のたとえば外部電極蛍光管ＥＦＬを支持する基台からなる下フレーム（図３、図４において符号ＢＳで示す）を備える。この下フレームＢＳはたとえば箱体状の金属から構成されている。下フレームＢＳの表面には反射シートＲＳが配置され、この反射シートＲＳは図中ｘ方向の各辺のそれぞれを屈曲させ該下フレームＢＳに対して鈍角の広がりを有して傾斜配置させた側壁面ＢＷを有する。また、該下フレームＢＳは、その図中ｙ方向に各辺部において、たとえば樹脂材で形成され前記液晶表示パネルＰＮＬ側の面において光反射機能を有する側壁板ＢＷｈを備え、この側壁板ＢＷｈは下フレームＢＳに対し鈍角の広がりを有して傾斜配置されている。この側壁板ＢＷｈは、前記反射シートＲＳの側壁面ＢＷとともに、バックライトＢＬの実質的な側壁部を構成するようになっている。バックライトＢＬの構成については後にさらに詳述する。
【００３２】
また、これら液晶表示パネルＰＮＬ、光学シートＯＳ、およびバックライトＢＬは、フレームＦＲおよび中間フレームＭＲによってモジュール化されている。図３は、このようにしてモジュール化された液晶表示装置の断面図を示し、図２のIII−III線の個所の断面に相当する。上フレームＦＲは、観察者側において、液晶表示パネルＰＮＬの液晶表示領域ＡＲを露出させる開口ＯＰが形成され、中間フレームＭＲとともに、液晶表示パネルＰＮＬ、光学シートＯＳ、およびバックライトＢＬを精度よく位置決めさせて固定させている。なお、半導体装置ＳＣＤは、本実施例では基板ＳＵＢ１上に形成されたものであるが、図示しないプリント基板との間に跨って配置されるいわゆるテープキャリア方式の半導体装置を用いてよく、この場合、該半導体装置を、図３の鉛直方向に折り曲げて配置でき、より狭額縁化を図ることができる。
【００３３】
図４（ａ）は前記バックライトＢＬのみを示した平面図で、図４（ｂ）は図４（ａ）のｂ−ｂ線における断面図である。
【００３４】
前記側壁板ＢＷｈは、たとえば樹脂材で形成された電極支持台ＴＭＴを介在して、前記下フレームＢＳに取り付けられている。また、前記側壁板ＢＷｈには、その下フレームＢＳ側の辺において並設された複数の孔（切り欠き）ＨＬが形成され、これら孔ＨＬを通して配置されるそれぞれの前記外部電極蛍光管ＥＦＬの各端に形成される電極ＴＭを前記側壁板ＢＷｈの背面側に位置づけるようになっている。
【００３５】
外部電極蛍光管ＥＦＬの各電極ＴＭは、前記電極支持台ＴＭＴに配置された電極金具ＴＭＦに挟持（係合）されている。これにより、各外部電極蛍光管ＥＦＬは前記電極金具ＴＭＦによって下フレームＢＳ側に支持され、該電極金具ＴＭＦを通して電源が供給されるようになっている。
【００３６】
前記電極金具ＴＭＦは、図１に示すように、各外部電極蛍光管ＥＦＬの両端側にそれぞれ配置される同じ金属製の電極支持材ＴＭＳ１、ＴＭＳ２と一体化されて構成されている。図１は前記電極支持材ＴＭＳ１、ＴＭＳ２を示した平面図であり、これら電極支持材ＴＭＳ１、ＴＭＳ２は、それぞれ、前記各電極支持台ＴＭＴ（図中ＴＭＴ１、ＴＭＴ２で示す）上に配置されている。
【００３７】
図１において、一方の電極支持材ＴＭＳ１は前記外部電極蛍光管ＥＦＬ（図中点線で示す）が配置される領域の図中左側に、他方の電極支持材ＴＭＳ２は前記領域の図中右側に配置され、それぞれ各外部電極蛍光管ＥＦＬの長手方向と交差する方向（図中ｙ方向）に延在する形状をなしている。これにより、電極支持材ＴＭＳ１は各外部電極蛍光管ＥＦＬの図中左側端の電極ＴＭの部分を共通に支持し、電極支持材ＴＭＳ２は各外部電極蛍光管ＥＦＬの図中右側端の電極ＴＭの部分を共通に支持するように構成されている。
【００３８】
さらに、電極支持材ＴＭＳ１において、各外部電極蛍光管ＥＦＬの図中左側の電極ＴＭの長手方向に沿って配置されるたとえば３個の電極金具ＴＭＦが前記電極ＴＭを挟持することによって、該各外部電極蛍光管ＥＦＬの左端を支持するように構成されている。同様に、電極支持材ＴＭＳ２において、各外部電極蛍光管ＥＦＬの図中右側の電極ＴＭの長手方向に沿って配置されるたとえば３個の電極金属ＴＭＦが前記電極ＴＭを挟持することによって、該各外部電極蛍光管ＥＦＬの右端を支持するように構成されている。少なくとも１個の電極金具ＴＭＦによる電気的接触が不十分な場合において他の残りの電極ＴＭＦによって電気的接触を確保するためである。
【００３９】
これにより、電極支持材ＴＭＳ１、ＴＭＳ２は、それぞれ、互いに対向して延在する一対の接続部ＪＣの間に、これら接続部ＪＣと交差する方向に並設される複数の電極金具ＴＭＦからなる電極金具群が、前記接続部ＪＣの延在方向に並設されて支持された構成となっている。
【００４０】
そして、これら電極支持材ＴＭＳ１、ＴＭＳ２はたとえば板材のプレス加工によって成形されるようになっている。
【００４１】
ここで、このように構成された電極支持材ＴＭＳ１は、前記電極支持台ＴＭＴ１に対して、たとえば螺子と両面テープのような接着剤を用いて固定された構造となっている。すなわち、電極支持材ＴＭＳ１のうちたとえば図中左側の接続部ＪＣ（左側接続部ＪＣ（Ｌ））の上側の一端において、螺子ＳＣ１によって前記電極支持台ＴＭＴ１に固定されるとともに、前記左側接続部ＪＣ（Ｌ）のたとえば両端を除く中央部において該左側接続部ＪＣ（Ｌ）の長手方向に沿って配置された両面テープＧＬによって前記電極支持台ＴＭＴ１に固定され、さらに、前記電極支持材ＴＭＳ１のうち図中右側の接続部ＪＣ（右側接続部ＪＣ（Ｒ））において該右側接続部ＪＣ（Ｒ）の長手方向に沿って配置された両面テープＧＬによって前記電極支持台ＴＭＴ１に固定されている。
【００４２】
同様に、前記電極支持材ＴＭＳ２も、前記電極支持台ＴＭＴ２に対して、たとえば螺子と両面テープのような接着剤を用いて固定された構造となっている。すなわち、電極支持材ＴＭＳ２のうちたとえば図中右側の接続部ＪＣ（右側接続部ＪＣ（Ｒ））の下側の一端において、螺子ＳＣ２によって前記電極支持台ＴＭＴ２に固定されるとともに、前記右側接続部ＪＣ（Ｒ）のたとえば両端を除く中央部において該右側接続部ＪＣ（Ｒ）の長手方向に沿って配置された両面テープＧＬによって前記電極支持台ＴＭＴ２に固定され、さらに、前記電極支持材ＴＭＳ２のうち図中左側の接続部ＪＣ（左側接続部ＪＣ（Ｌ））において該左側接続部ＪＣ（Ｌ）の長手方向に沿って配置された両面テープＧＬによって前記電極支持台ＴＭＴ２に固定されている。
【００４３】
このように電極支持材ＴＭＳ１、ＴＭＳ２のそれぞれの電極支持台ＴＭＴ１、ＴＭＴ２の固定において、少なくとも両面テープＧＬのような接着剤を用いることによって、それらの固定を信頼性あるものとすることができる。
【００４４】
このことから、電極支持材ＴＭＳ１、ＴＭＳ２のそれぞれの電極支持台ＴＭＴ１、ＴＭＴ２の固定において、たとえ螺子を用いる必要があっても、図１に示したように電極支持材ＴＭＳ１、ＴＭＳ２のそれぞれの一端において行えばよく、前記接着剤を用いた個所に螺子を用いる必要がなくなる。
【００４５】
このため、電極支持材ＴＭＴ１、ＴＭＴ２に熱膨張による伸張がなされた場合でも、接着剤はある程度の範囲で該伸張に追随でき、これら電極支持材ＴＭＳ１、ＴＭＳ２の電極支持台ＴＭＴ１、ＴＭＴ２からの浮遊を引き起こすことのない接着を確保できる。
【００４６】
したがって、前記接着剤を用いない場合の他の対応策として、たとえば前記電極支持材ＴＭＳ１、ＴＭＳ２を電極支持台ＴＭＴ１、ＴＭＴ２へ押圧させる部材を設ける場合と比較して、前記電極支持材ＴＭＳ１、ＴＭＳ２に熱膨張による伸張によって前記部材との間に発生するきしみ音を回避できる構成とすることができる。
【００４７】
また、前記接着剤を用いない場合の他の対応策として、たとえば前記電極支持材ＴＭＳ１、ＴＭＳ２を両端で螺子止めするだけの場合と比較して、該電極支持材ＴＭＳ１、ＴＭＳ２の外部からの原因等による振動で前記部材との間で発生するびびり音を回避できる構成とすることができる。
【００４８】
図５（ａ）は、上述した電極支持材ＴＭＳのうち、図１の点線枠Ａの部分を抜き出して描いた詳細図である。
【００４９】
図５（ａ）において、電極支持材ＴＭＳ１は、並設される３個の電極金具ＴＭＦを共通に固定する基板ＢＰと、この基部ＢＰの各端側で共通に接続する左側接続部ＪＣ（Ｌ）と右側接続部ＪＣ（Ｒ）とを有し、これら基部ＢＰと各接続部ＪＣ（Ｌ）、ＪＣ（Ｒ）は、平面的に観た場合、梯子状のパターンをなして形成されている。
【００５０】
また、図５（ｂ）は、前記電極金具ＴＭＦを示した図で、図５（ａ）のｂ−ｂ線における断面図を示している。電極金具ＴＭＦは、外部電極蛍光管ＥＦＬを両脇から挟持するための一対の相対向する舌片を備えた二股構造として構成されている。すなわち、前記電極支持材ＴＭＳ１の基部ＢＰに対し、その両脇からたとえば鉛直方向に屈曲された一対の支持部ＳＰを備え、これら各支持部ＳＰは、前記外部電極蛍光管ＥＦＬをその周側面の対向する側からそれぞれ押圧する円弧部を備えている。また、前記電極金具ＴＭＦは前記各支持部ＳＰの各先端に放射状に広がる導入部ＩＴを備え、この導入部ＩＴによって、外部電極蛍光管ＥＦＬを前記支持部ＳＰに導く際の便を図っている。なお、図５（ｂ）に示す点線丸は外部電極蛍光管ＴＭＦの周側面を示している。
【００５１】
図６（ａ）は、上述した電極支持材ＴＭＳ１を固定させた電極支持台ＴＭＴ１の斜視図を示し、図６（ｂ）は、該電極支持台ＴＭＴ１を被って固定（仮固定）される側壁板ＢＷｈの斜視図を示している。
【００５２】
該側壁板ＢＷｈは、液晶表示パネルＰＮＬ側の面に対して裏側から観た状態を示し、その長手方向に間欠的に短手方向に延在するリブＲＢが一体的に形成されている。前記リブＲＢは樹脂材からなる該側壁板ＢＷｈの変形に対する機械的強度を向上させるために設けられている。
【００５３】
このように構成される側壁板ＢＷｈは、図中の状態から表裏を逆にし、さらに左右を逆にすることにより、図６（ａ）に示す電極支持台ＴＭＴ１に被せ、たとえば係合によって仮固定させることができるようになっている。
【００５４】
なお、前記電極支持台ＴＭＴ１はその長手方向に並設された螺子孔ＳＣＨが、また、前記側壁板ＷＢｈにも前記螺子孔ＳＣＨと対応する螺子孔ＳＣＨ’が形成され、該電極支持台ＴＭＴ１に対する前記側壁板ＢＷｈの仮固定がなされた際には、それらの中心軸が一致されるようになっている。そして、このように仮固定された電極支持台ＴＭＴ１と側壁板ＢＷｈはそれらの螺子孔ＳＣＨ、ＳＣＨ’を通して前記下フレームＢＳに螺入される螺子（図示せず）によって該下フレームＢＳに固定されるようになっている。
【００５５】
図７は、前記電極支持台ＴＭＴ１と側壁板ＢＷｈが下フレームＢＳに固定された状態を、外部電極蛍光管ＥＦＬの軸方向から観た図を示している。
【００５６】
図７において、該電極金具ＴＭＦを備える電極支持材ＴＭＳ１は、その接続部ＪＣ（図では右側接続部ＪＣ（Ｒ）が観察される）が、両面テープＧＬを介して電極支持台ＴＭＴ１に固定されていることが示されている。
【００５７】
そして、側壁板ＷＢｈと一体に形成された各リブＲＢは、たとえば隣接する各電極金属ＴＭＦの間にそれぞれ設けられ、且つ、該電極支持材ＴＭＳ１の右側接続部ＪＣ（Ｒ）および図示しない左側接続部ＪＣ（Ｌ）と充分な距離Ｗを有して位置づけられている。上述したように、側壁板ＷＢｈの各リブＲＢは該側壁板ＢＷｈの機械的強度を向上させるために設けられ、これら各リブＲＢによって前記電極支持材ＴＭＳ１に起因するきしみ音あるいはびびり音の防止機能を持たせた構成としていない。これは、上述したように、電極支持材ＴＭＳ１は、その接続部ＪＣにおいて両面テープＧＬを介して電極支持台ＴＭＴ１に固定させ、これにより、きしみ音あるいはびびり音の発生を充分に低減できるようにしているからである。
【００５８】
また、本発明によれば、うなり音も低減することが可能になる。うなり音の原因としては、バックライトの外部電極蛍光管ＥＦＬや電極支持台ＴＭＴおよび電極支持材ＴＭＳなどに周期的なエネルギーが印加され、音鳴りが発生することにより引き起こされる。この周期的なエネルギーは、バックライトシステムに対してＰＷＭ調光をした時に発生する。ＰＷＭ調光とは、数百Ｈｚまでの周波数でランプをＯＮ／ＯＦＦ制御し、これにより調光制御するものである。すなわち、ＰＷＭ調光制御を行うシステムでは、電極支持材ＴＭＳへの圧電効果による変位が発生し、これがうなり音の原因になるのではないかと考えられる。したがって、本発明のように、電極支持材ＴＭＳを電極支持台ＴＭＴに固定することにより、仮に周期的なエネルギーがこれらに印加されたとしても、音鳴りは低減され、結果として、うなり音を低減することが可能になるものである。
【００５９】
図８は、本発明による液晶表示装置の他の実施例を示す図で、図１と対応した図となっている。
【００６０】
図１の場合と比較して異なる構成は、電極支持台ＴＭＴ１に対する電極支持材ＴＭＳ１の両面テープＧＬによる固定は、該電極支持材ＴＭＳ１のたとえば右側接続部ＪＣ（Ｒ）においてなされ左側接続部ＪＣ（Ｌ）においてなされていないことにある。また、電極支持台ＴＭＴ２に対する電極支持材ＴＭＳ２の両面テープＧＬによる固定は、該電極支持材ＴＭＳ２のたとえば左側接続部ＪＣ（Ｌ）においてなされ右側接続部ＪＣ（Ｒ）においてなされていないことにある。
【００６１】
本実施例に拠れば、電極支持材ＴＭＳ１、ＴＭＳ２の電極支持台ＴＭＴ１、ＴＭＴ２への接着剤による固定は必要とされる個所においてなされればよく、必ずしも全域に及ぶ必要はない。図８に示す構成は、前記液晶表示パネルＰＮＬがたとえば２６インチ程度の大きさであって、バックライトＢＬの大きさがそれ程大きくないものにあって適用することができる。
【００６２】
図９は、本発明による液晶表示装置の他の実施例を示す図で、図１と対応した図となっている。
【００６３】
図１の場合と比較して異なる構成は、電極支持材ＴＭＳ１のたとえば左側接続部ＪＣ（Ｌ）の両端において、それぞれ螺子ＳＣ１、ＳＣ’１を用いて固定され、電極支持材ＴＭＳ２のたとえば右側接続部ＪＣ（Ｒ）の両端において、それぞれ螺子ＳＣ２、ＳＣ’２を用いて固定されている。
【００６４】
このような構成は、たとえばバックライトＢＬの大きさがそれ程大きくなく（液晶表示パネルＰＮＬの大きさが２６インチ程度）、電極支持材ＴＭＳ１、ＴＭＳ２が、たとえ熱による膨張がなされても、両面テープＧＬによって電極支持台ＴＭＴ１、ＴＭＴ２に剥離することなく接着されているような場合に適用することができる。
【００６５】
上述した実施例では、電極支持材ＴＭＳの電極支持台ＴＭＴへの固着は両面テープＧＬからなる接着剤で行ったものである。しかし、両面テープに限定されることはなく、それ以外の他の接着剤で行ってもよい。同様の効果を奏するからである。
【００６６】
上述した各実施例はそれぞれ単独に、あるいは組み合わせて用いても良い。それぞれの実施例での効果を単独であるいは相乗して奏することができるからである。
【図面の簡単な説明】
【００６７】
【図１】本発明による液晶表示装置の一実施例を示す要部構成図である。
【図２】本発明による液晶表示装置の一実施例を示す概略構成図である。
【図３】モジュール化された液晶表示装置の図であり、図２のIII−III線に相当する個所の断面図である。
【図４】本発明による液晶表示装置のバックライトの一実施例を示す構成図である。
【図５】本発明による液晶表示装置に用いられる電極支持材の一実施例を示す構成図である。
【図６】本発明による液晶表示装置に用いられる電極支持台とそれに固定（仮固定）される側壁板の一実施例を示す斜視図である。
【図７】側壁板のリブと電極支持材との位置関係を示す説明図である。
【図８】本発明による液晶表示装置の他の実施例を示す要部構成図である。
【図９】本発明による液晶表示装置の他の実施例を示す要部構成図である。
【符号の説明】
【００６８】
ＰＮＬ……液晶表示パネル、ＯＳ……光学シート、ＢＬ……バックライト、ＢＳ……下フレーム、ＲＳ……反射シート、ＢＷ……側壁面、ＢＷｈ……側壁板、ＥＦＬ……外部電極蛍光管、ＦＲ……上フレーム、ＭＲ……中間フレーム、ＴＭＳ……電極支持材、ＴＭＦ……電極金具、ＪＣ……接続部、ＢＰ……基部、ＳＰ……支持部、ＩＮ……導入部、ＧＬ……両面テープ、ＴＭＴ……電極支持台、ＳＣＨ……螺子孔、ＲＢ……リブ、ＳＣ……螺子。
【図１】
2008241777.tif 000003
【図２】
2008241777.tif 000004
【図３】
2008241777.tif 000005
【図４】
2008241777.tif 000006
【図５】
2008241777.tif 000007
【図６】
2008241777.tif 000008
【図７】
2008241777.tif 000009
【図８】
2008241777.tif 000010
【図９】
2008241777.tif 000011